【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
分子配向されたポリマー材料を備える一体型メッシュ構造の形態のジオグリッドであって、前記メッシュ構造は、複数の細長い引張要素を含む相互接続されたメッシュ画定要素から形成され、
（ａ）前記メッシュ構造の前記分子配向は、その範囲全体にわたって均一であり、及び／又は
（ｂ）接合部及び前記細長い引張要素は、同じ平均厚さを有し、及び／又は
（ｃ）前記ポリマー材料を引き伸ばすことによって前記接合部の厚化が起こらない、ジオグリッド。
【請求項２】
前記引張要素の断面は、その長さに沿って均一であり、選択的に、前記細長い引張要素の断面は、長方形である、請求項１に記載のジオグリッド。
【請求項３】
前記ポリマー材料は、単軸に配向されている、請求項１及び２のいずれか１項に記載のジオグリッド。
【請求項４】
（ｉ）少なくとも５５％、より好ましくは少なくとも６０％、さらにより好ましくは少なくとも６５％、最も好ましくは少なくとも７０％の、ＡＳＴＭ  Ｄ６９９２−０３に準拠した段階的等温法クリープ試験及びＢＥ  ＥＮ  ＩＳＯ  １３４３１：１９９９に準拠した静的クリープ試験に基づいてＰＤ  ＩＳＯ／ＴＲ  ２０４３２：２００７に準拠して決定されるクリープ減少係数（ＲＦＣＲ）を有し、及び／又は、
（ｉｉ）０．１〜３ｍｍの厚さを有し、及び／又は
（ｉｉｉ）少なくとも４：１の伸張比を有し、及び／又は
（ｉｖ）少なくとも３０ｋＮ／ｍの抗張力を有し、及び／又は
（ｖ）前記ジオグリッドは、少なくとも部分的に前記開口の周囲のエッジの周りの前記ジオグリッドの面上に前記ポリマー材料の一体型ビーズを有し、選択的に、前記ビーズは、前記開口の端部に沿って形成され、その細長いエッジに沿ってゼロの高さに減少する、請求項３に記載の単軸ジオグリッド。
【請求項５】
（ｉ）配向方向に互いに平行に延びる複数の前記細長い引張要素、及び
（ｉｉ）前記引張要素と一体的でありかつそれぞれが隣接するリブ構造を互いに接続するように作用する複数のコネクタ要素であって、任意の２つの引張要素を互いに接続する前記コネクタ要素は、配向方向に互いから間隔を空けて配置され、それにより、前記引張要素と共に、前記引張要素に平行に延びる細長い開口を画定するコネクタ要素
を備え、
選択的に、前記引張要素は、２〜５０ｍｍの幅を有し、前記開口は、４０〜４００ｍｍの長さ及び５〜１００ｍｍの幅を有し、前記コネクタ要素は、（前記複数の引張要素の長手方向に測定した場合に）２〜２０ｍｍの幅を有し、
好ましくは、前記引張要素は、５〜４０ｍｍの幅を有し、前記開口は、４０〜２５０ｍｍの長さ及び１０〜８０ｍｍの幅を有し、前記コネクタ要素は、６〜１８ｍｍの幅を有し、及び／又は
前記コネクタ要素は、複数のセットとして配置され、任意の１つのセットのコネクタが前記リブ構造に対して横方向に互いに整列され、前記複数のセットは、前記リブ構造の長手方向に互いから間隔を空けて配置される、請求項３及び４のいずれか１項に記載の単軸ジオグリッド。
【請求項６】
（ａ）単軸配向の方向に略平行に延びる複数のリブ構造、及び（ｂ）前記リブ構造に対して横方向に（好ましくは垂直に）延びる略平行に間隔を空けて配置される複数のバー構造を備え、
前記リブ構造及び前記バー構造は、それぞれの長さに沿って間隔を開けた位置で接合部によって相互接続され、それにより、前記リブ構造は、その長さに沿って交互に接合部とリブセグメントに細分化され、前記バー構造は、その長さに沿って交互にバーセグメントと接合部に細分され、
選択的に、前記複数のリブ構造は、２〜５０ｍｍの幅を有し、前記開口は、４０〜４００ｍｍの長さ及び５〜１００ｍｍの幅を有し、前記バー構造は、（前記リブ構造の長手方向に測定した場合に）２〜２０ｍｍの幅を有し、
好ましくは、前記リブ構造は、５〜４０ｍｍの幅を有し、前記開口は、４０〜２５０ｍｍの長さ及び１０〜８０ｍｍの幅を有し、前記バー構造は、６〜１８ｍｍの幅を有する、請求項３〜５のいずれか１項に記載の単軸ジオグリッド。
【請求項７】
前記ポリマー材料は、二軸配向されており、選択的に、前記二軸ジオグリッドは、少なくとも１．５：１の伸張比を有し、及び／又はさらに選択的に、前記二軸ジオグリッドは、少なくとも１０ｋＮ／ｍの抗張力を有する、請求項１及び２のいずれか１項に記載のジオグリッド。
【請求項８】
（ａ）細長いポリマー出発シートを引き伸ばして分子配向されたポリマーを含むジオグリッド前駆体を形成するステップであって、前記ジオグリッド前駆体は基本的に均一な厚さを有するステップと、
（ｂ）前記ジオグリッド前駆体に開口を形成することにより前記ジオグリッド前駆体をジオグリッドに変換して、細長い引張要素を含む相互接続メッシュ画定要素から形成された一体型メッシュ構造を画定するステップと
を含む、ジオグリッドを作成する方法。
【請求項９】
前記ポリマー出発シートは、２〜１２ｍｍの平均厚さを有し、
好ましくは、前記ポリマー出発シートは、４〜１０ｍｍの平均厚さを有する、請求項８に記載の方法。
【請求項１０】
前記細長い引張要素の長手方向の範囲に対して直角の断面で観察した場合に、前記細長い引張要素が略長方形となるように前記開口が形成され、長方形の断面の長さ側は前記ジオグリッドの面に沿っており、
（ｉ）選択的に、前記開口は、前記引張要素が前記ジオグリッドの両側で２〜２０ｍｍの幅を有するように形成され、
（ｉｉ）好ましくは、前記引張要素の幅は、６〜１８ｍｍであり、及び／又は
（ｉｉｉ）前記開口は、４０〜２５０ｍｍの長さ及び５〜８０ｍｍの幅を有するように形成され、
好ましくは、前記開口は、５０〜２００ｍｍの長さ及び５〜５０ｍｍの幅を有する、請求項８及び９のいずれか１項に記載の方法。
【請求項１１】
ステップ（ａ）における引き伸ばしは、前記ポリマー材料が単軸に配向されるジオグリッド前駆体を提供するように単一方向に行われ、
好ましくは、ステップ（ａ）において、ポリマー出発シートは、少なくとも４：１の伸張比に引き伸ばされ、
より好ましくは、前記伸張比は、少なくとも７：１であり、
最も好ましくは、前記伸張比は、７：１〜１２：１ある、請求項８〜１０のいずれか１項に記載の方法。
【請求項１２】
前記開口は、前記引張要素が引き伸ばし方向に平行に延びて、前記開口が細長くかつその方向に平行に延びるように形成される、請求項１１に記載の方法。
【請求項１３】
前記開口は、ステップ（ｂ）で作成された前記メッシュ構造が、
（ｉ）互いに平行に延びる複数の細長い引張要素、及び
（ｉｉ）前記引張要素と一体的でありかつそれぞれが隣接するリブ構造を互いに接続するように作用する複数のコネクタ要素であって、任意の２つの引張要素を接続する前記コネクタ要素は、引き伸ばし方向に互いから間隔を空けて配置され、それにより、前記引張要素と共に、前記細長い開口を画定するコネクタ要素
を備えるように形成され、
選択的に、前記コネクタ要素は、複数のセットとして配置され、任意の１つのセットの前記コネクタ要素は、前記細長い引張要素に対して横方向に互いに整列され、前記セットは、前記引張要素の長手方向に互いから間隔を空けて配置され、及び／又は
前記開口は、前記引張要素が２〜５０ｍｍの幅を有し、前記開口が４０〜４００ｍｍの長さ及び５〜１００ｍｍの幅を有し、前記コネクタ要素が（前記引張要素の長手方向に測定した場合に）２〜２０ｍｍの幅を有するように形成され、
好ましくは、前記引張要素は、５〜４０ｍｍの幅を有し、前記開口は、４０〜２５０ｍｍの長さ及び１０〜８０ｍｍの幅を有し、前記コネクタ要素は、６〜１８ｍｍの幅を有する、請求項１２に記載の方法。
【請求項１４】
前記開口は、ステップ（ｂ）で作成された前記メッシュ構造が、
（ｉ）単軸配向の方向に延びる略平行な複数のリブ構造、及び前記リブ構造に対して横方向に（好ましくは、垂直に）延びる複数の間隔を空けた略平行なバー構造
を備えるように形成され、前記リブ構造及び前記バー構造は、それぞれの長さに沿って間隔を空けた位置で接合部によって相互接続され、それによって前記リブ構造は、その長さに沿って交互に接合部とリブセグメントへと細分化され、前記バー構造は、その長さに沿って交互にバーセグメントと接合部へと細分化され、
好ましくは、前記開口は、前記リブ構造が２〜５０ｍｍの幅を有し、前記開口が４０〜４００ｍｍの長さ及び５〜１００ｍｍの幅を有し、前記バー構造が（前記リブ構造の長手方向に測定した場合に）２〜２０ｍｍの幅を有するように形成され、
さらに好ましくは、前記リブ構造は、５〜４０ｍｍの幅を有し、前記開口は、４０〜２５０ｍｍの長さ及び１０〜８０ｍｍの幅を有し、前記バー構造は、６〜１８ｍｍの幅を有する、請求項１２に記載の方法。
【請求項１５】
前記開口は、パンチ操作によって設けられ、
選択的に、前記パンチ操作は、前記ジオグリッドの面上に及び少なくとも部分的に前記開口の周囲のエッジの周りに前記ポリマー材料の一体型ビーズを形成し、
さらに選択的に、前記ビーズは、前記開口の端部に沿って形成され、その細長いエッジに沿ってゼロの高さに減少する、請求項１２〜１４のいずれか１項に記載の方法。
【請求項１６】
前記シート出発材料は、前記ポリマー材料が二軸に配向されるジオグリッド前駆体を作成するために２つの互いに垂直な方向に引き伸ばされる、請求項８及び９のいずれか１項に記載の方法。
【請求項１７】
（ａ）ポリマー出発シートの形態にあるジオグリッド前駆体を提供するステップであって、前記ポリマー出発シートは前記シートの範囲全体にわたって均一に分子配向されたポリマー材料を含むステップと、
（ｂ）前記ジオグリッド前駆体に開口を形成することにより前記ジオグリッド前駆体をジオグリッドに変換して、細長い引張要素を含む相互接続されたメッシュ画定要素から形成された一体型メッシュ構造を画定するステップと
を含み、
選択的に、ステップ（ｂ）で形成された前記ジオグリッドは、請求項１〜７のいずれか１項に記載されたものである、ジオグリッドを作成する方法。
【請求項１８】
粒状材料を強化する方法であって、請求項１〜７のいずれか１項に記載のジオグリッドを前記粒状材料に埋め込むことを含む、方法。
【請求項１９】
請求項１〜７のいずれか１項に記載のジオグリッドが埋め込まれた粒状材料の塊を含むジオエンジニアリング構造物であって、
選択的に、（ｉ）前記ジオエンジニアリング構造物は、堤防基礎、線路バラスト及び／又はサブバラスト；路盤基礎、橋台、擁壁、急勾配（≧２０度）の斜面、スリップリペア、鋼製メッシュ面、ラップアラウンド面、段付き壁、壁と斜面、植生面、非植生面、モジュール式ブロック、コンクリートパネル、海洋ユニット及び／又は蛇籠面から成るグループから選択され、及び／又は
（ｉｉ）前記ジオグリッドは、
ジオエンジニアリング構造物の及び／又はその下の、強度；安定性、層厚の減少；寿命の増加；支持力の増加；不等沈下の制御；弱い堆積物を覆う能力、及び／又は粒状材料及び／又はボイドをスパンする能力
から選択される少なくとも１つの特性の（前記ジオグリッドがない構造と比較した）改善を前記ジオエンジニアリング構造物に与える、ジオエンジニアリング構造物。
【請求項２０】
ジオエンジニアリング構造物の及び／又はその下の、強化；安定化、層厚の減少；寿命の増加；支持力の増加；不等沈下の制御；弱い堆積物を覆うこと、及び／又は粒状材料及び／又はボイドをスパンすること
から成るグループから選択される少なくとも１つの目的でジオエンジニアリング構造物を形成するための粒状材料を備えた請求項１〜７のいずれかに１項に記載のジオグリッドの使用。